(57)【要約】  本発明は，無線構内ネットワーク（ＷＬＡＮ）内の２つのノード，ポイント，又は端末間で情報を伝送する新規で唯一の方法及び装置を提供する。マルチキャスト及び同報データは，電力節減多重ポール（ＰＳＭＰ）方式によって送信され，送信されたデータは無線構内ネットワーク内の２つのノード，ポイント，又は端末間で肯定応答される。２つのノード，ポイント，又は端末は，アクセスポイント（ＡＰ），ほかの適切なネットワークノード，又は端末と，無線局（ＳＴＡ），ＷＬＡＮ内のほかの適切なネットワークノード，又は端末と，を含んでもよい。
2009515401.tif 000002
【特許請求の範囲】
【請求項１】
無線構内ネットワーク（ＷＬＡＮ）内の２つのノード，ポイント，又は端末間で情報を伝送するステップと，
マルチキャスト及び／又は同報データを送信し，前記無線構内ネットワーク（ＷＬＡＮ）内の前記２つのノード，ポイント，又は端末間で送信されたデータを肯定応答するステップと，
を有する方法。
【請求項２】
前記２つのノード，ポイント，又は端末は，アクセスポイント（ＡＰ），ほかの適切なネットワークノード，又は端末と，無線局（ＳＴＡ），前記ＷＬＡＮ内のほかの適切なネットワークノード，又は端末と，を含む請求項１に記載の方法。
【請求項３】
マルチキャスト及び／又は同報肯定応答を可能にするために，電力節減多重ポール（ＰＳＭＰ）方式を用いる請求項１に記載の方法。
【請求項４】
データ送信用の電力節減多重ポール（ＰＳＭＰ）方式において，マルチキャストフレームにＤＬ  ＴＸＯＰを用い，マルチキャスト及び／又は同報肯定応答の送信時刻を与えるためにＵＬ  ＴＸＯＰを用いる請求項１に記載の方法。
【請求項５】
データ送信用の電力節減多重ポール（ＰＳＭＰ）方式において，マルチキャストフレームにＤＬ  ＴＸＯＰを用い，マルチキャスト肯定応答及びＵＬユニキャスト送信の送信時刻を与えるためにＵＬ  ＴＸＯＰを用いる請求項１に記載の方法。
【請求項６】
前記マルチキャスト及び／又は同報送信は，来る送信の識別子としてマルチキャストＭＡＣアドレスを用いる請求項１に記載の方法。
【請求項７】
１つのＰＳＭＰ要素が，ＤＬマルチキャスト及び／又は同報送信，並びに前記マルチキャスト及び／又は同報送信を肯定応答する０又は複数の非ＡＰ  ＳＴＡを指定する請求項１に記載の方法。
【請求項８】
ＰＳＭＰ要素は，同一のＤＬマルチキャスト及び／又は同報送信を受信するいくつかの非ＡＰ  ＳＴＡを指定する請求項５に記載の方法。
【請求項９】
１つのＰＳＭＰが，マルチキャスト及び／又は同報送信，並びにユニキャスト送信だけを指定する請求項１に記載の方法。
【請求項１０】
非ＡＰ  ＳＴＡは，前記の指定したＵＬ送信時刻に前記の送信されたマルチキャスト及び／又は同報フレームを肯定応答する請求項７に記載の方法。
【請求項１１】
無線構内ネットワーク（ＷＬＡＮ）であって，相互に情報を伝送する２つのノード又はポイントを備え，
前記２つのノード又はポイントは電力節減多重ポール（ＰＳＭＰ）方式でマルチキャスト及び／又は同報データを送信し，前記無線構内ネットワーク内の前記２つのノード，ポイント，又は端末の間で前記の送信されたデータを肯定応答するように構成したモジュールを有する無線構内ネットワーク。
【請求項１２】
前記２つのノード，ポイント，又は端末は，アクセスポイント（ＡＰ），ほかの適切なネットワークノード，又は端末と，無線局（ＳＴＡ），前記ＷＬＡＮ内のほかの適切なネットワークノード，又は端末と，を含む請求項１１に記載の無線構内ネットワーク。
【請求項１３】
データ送信用の前記電力節減多重ポール（ＰＳＭＰ）方式において，マルチキャスト及び／又は同報フレームにＤＬ  ＴＸＯＰを用い，マルチキャスト及び／又は肯定応答の送信時刻を与えるためにＵＬ  ＴＸＯＰを用いる請求項１１に記載の無線構内ネットワーク。
【請求項１４】
前記マルチキャスト送信は，来る送信の識別子としてマルチキャストＭＡＣアドレスを用いる請求項１１に記載の無線構内ネットワーク。
【請求項１５】
１つのＰＳＭＰ要素が，ＤＬマルチキャスト及び／又は同報送信，並びに前記マルチキャスト及び／又は同報送信を肯定応答する１つの非ＡＰ  ＳＴＡを指定する請求項１１に記載の無線構内ネットワーク。
【請求項１６】
ＰＳＭＰ要素は，同一のＤＬマルチキャスト及び／又は同報送信を受信するいくつかの非ＡＰ  ＳＴＡを指定する請求項１３に記載の無線構内ネットワーク。
【請求項１７】
１つのＰＳＭＰが，マルチキャスト及び／又は同報送信，並びにユニキャスト送信だけを指定する請求項１１に記載の無線構内ネットワーク。
【請求項１８】
前記の指定したＵＬ送信時刻に，非ＡＰ  ＳＴＡは前記の送信されたマルチキャスト及び／又は同報フレームを肯定応答する請求項１５に記載の無線構内ネットワーク。
【請求項１９】
第１のノード，ポイント，又は端末であって，
無線構内ネットワーク（ＷＬＡＮ）内の第２のノード，ポイント，又は端末へ情報を伝送する１又は複数のモジュールと，
電力節減多重ポール（ＰＳＭＰ）方式でマルチキャスト及び／又は同報データを送信し，前記無線構内ネットワーク（ＷＬＡＮ）内の前記２つのノード，ポイント，又は端末間で送信されたデータを肯定応答するように構成したモジュールと，
を備える第１のノード，ポイント，又は端末。
【請求項２０】
前記２つのノード，ポイント，又は端末は，アクセスポイント（ＡＰ），ほかの適切なネットワークノード，又は端末と，無線局（ＳＴＡ），前記ＷＬＡＮ内のほかの適切なネットワークノード，又は端末と，を含む請求項１９に記載の第１のノード，ポイント，又は端末。
【請求項２１】
データ送信用の電力節減多重ポール（ＰＳＭＰ）方式において，マルチキャストフレームにＤＬ  ＴＸＯＰを用い，マルチキャスト及び／又は同報肯定応答の送信時刻を与えるためにＵＬ  ＴＸＯＰを用いる請求項１９に記載の第１のノード，ポイント，又は端末。
【請求項２２】
前記マルチキャスト及び／又は同報送信は，来る送信の識別子としてマルチキャストＭＡＣアドレスを用いる請求項１９に記載の第１のノード，ポイント，又は端末。
【請求項２３】
１つのＰＳＭＰ要素が，ＤＬマルチキャスト及び／又は同報送信，並びに前記マルチキャスト及び／又は同報送信を肯定応答する１つの非ＡＰ  ＳＴＡを指定する請求項１９に記載の第１のノード，ポイント，又は端末。
【請求項２４】
ＰＳＭＰ要素は，同一のＤＬマルチキャスト及び／又は同報送信を受信するいくつかの非ＡＰ  ＳＴＡを指定する請求項２１に記載の第１のノード，ポイント，又は端末。
【請求項２５】
１つのＰＳＭＰが，マルチキャスト及び／又は同報送信，並びにユニキャスト送信だけを指定する請求項１９に記載の第１のノード，ポイント，又は端末。
【請求項２６】
非ＡＰ  ＳＴＡは，前記の指定したＵＬ送信時刻に前記の送信されたマルチキャスト及び／又は同報フレームを肯定応答する請求項２３に記載の第１のノード，ポイント，又は端末。
【請求項２７】
第１のノード，ポイント，又は端末であって，
ストリームの再送信が必要なとき，前記第１のノード，ポイント，又は端末の送信器が前記マルチキャスト及び／又は同報用に，次に掲げるいくつかの肯定応答及び配信品質制御論理
１）前記送信器が，肯定応答を送信するように各受信器を設定する，
２）前記送信器が肯定応答を送信するために最も多くの再送信を必要とする受信器を
を選択し，前記肯定応答の送信器数は自由に選択できる，
３）前記送信器は，肯定応答なしでマルチキャスト及び／又は同報フレームを冗長に送信し，エラーメッセージ又は起動されたマルチキャスト測定メッセージの量，すなわち数によって送信回数を制御することができる，
４）前記送信器は，肯定応答を送信した端末グループを変更して，この操作によって前記送信器がサービス範囲内の受信器を制御することができる，
５）前記送信器は，受信した肯定応答によって肯定応答要求間隔を変更することができる，
６）前記送信器は，応答によって送信速度を変更できる，
７）前記送信器は，送信試行がdot11ShortRetryLimit又はdot11LongRetryLimitを超えるか，若しくはＭＳＤＵ寿命が尽きるまで，フレームをマルチキャスト又は同報送信として再送信できる，
８）前記送信器は，前記のマルチキャスト又は同報フレームをユニキャスト送信として再送信できる，
９）前記送信器は，肯定応答及び測定結果によってメディア形式を変更又は変更要求できる，
１０）前記送信器は，前記送信を受信できない端末グループへのＡＣＫ要求を停止でき，例えば前記送信器が所定の最小送信速度を有し，前記受信器が送信を正しく受信できないとき，前記送信器は前記端末グループへのＡＣＫ要求を停止できる，
１１）例えば配信品質が不適当なとき，前記送信器は前記マルチキャスト送信を停止できる，又は
１２）前記各号のいくつかの組合せ，
を選択できる請求項１９に記載の第１のノード，ポイント，又は端末。
【請求項２８】
プログラムコードを有する計算機プログラム製品であって，該プログラムコードは機械可読媒体上に記憶され，前記計算機プログラムをアクセスポイント（ＡＰ）のような第１のノード，ポイント，又は端末，若しくは無線局（ＳＴＡ）のような第２のノード，ポイント，又は端末，若しくはこれらのいくつかの組合せ，のいずれかのモジュールによって実行したとき，電力節減多重ポール（ＰＳＭＰ）方式でマルチキャスト及び／又は同報データを送信するステップと，無線構内ネットワーク内の２つのノード，ポイント，又は端末間で送信されたデータを肯定応答するステップと，を含む方法ステップを実行する計算機プログラム製品。
【請求項２９】
前記無線構内ネットワーク内の１又は複数のネットワークノード，ポイント，端末，又は要素内のプロセッサ，コントローラ，又はほかの適切なモジュールによって実行される計算機プログラムによって，前記方法ステップを実現するステップを更に有する請求項１に記載の方法。
【請求項３０】
無線構内ネットワーク（ＷＬＡＮ）内の２つのノード，ポイント，又は端末間で情報を伝送する手段と，
マルチキャスト及び／又は同報データを送信し，前記無線構内ネットワーク内の前記２つのノード，ポイント，又は端末間で送信されたデータを肯定応答する手段と，
を備える装置。
【請求項３１】
前記２つのノード，ポイント，又は端末は，アクセスポイント（ＡＰ），ほかの適切なネットワークノード，又は端末と，無線局（ＳＴＡ），前記ＷＬＡＮ内のほかの適切なネットワークノード，又は端末と，を含む請求項３０に記載の装置。
【請求項３２】
マルチキャスト及び／又は同報肯定応答を可能にするために，電力節減多重ポール（ＰＳＭＰ）方式を用いる請求項３０に記載の装置。
【請求項３３】
データ送信用の電力節減多重ポール（ＰＳＭＰ）方式において，マルチキャストフレームにＤＬ  ＴＸＯＰを用い，マルチキャスト及び／又は同報肯定応答の送信時刻を与えるためにＵＬ  ＴＸＯＰを用いる請求項３０に記載の装置。
【発明の詳細な説明】
【技術分野】
【０００１】
本発明は８０２．１１ＷＬＡＮマルチキャストフレーム処理に関し，効率がよく耐性のあるマルチキャスト及び／又は同報配信強化のためのＭＡＣレベル強化を規定する。
【背景技術】
【０００２】
既知のネットワークにおけるＷＬＡＮ ＭＡＣレベルマルチキャスト及び／又は同報送信の利用は，ＷＬＡＮ ＭＡＣ ＱｏＳ追補（８０２．１１ｅ）には追加されていない。特にＭＡＣマルチキャスト及び／又は同報送信では，肯定応答を用いることができない。その代わり既知の先行技術解決法では，ＤＴＩＭビーコンの後にバッファされたマルチキャスト及び／又は同報フレームを送信し，マルチキャスト及び／又は同報送信は肯定応答を用いない。
【発明の開示】
【課題を解決するための手段】
【０００３】
本発明は，マルチキャスト及び／又は同報送信に通常の肯定応答及びブロック肯定応答を利用できる機構を提供する。
【０００４】
最も広義には，本発明は無線構内ネットワーク（ＷＬＡＮ）内の２つのノード，ポイント，又は端末間で情報を伝送する新規かつ唯一の方法及び装置を提供し，マルチキャスト及び同報データは，電力節減多重ポール（ＰＳＭＰ）方式によって送信され，送信されたデータはＷＬＡＮ内の２つのノード，ポイント，又は端末間で肯定応答される。
【０００５】
２つのノード，ポイント，又は端末は，アクセスポイント（ＡＰ），ほかの適切なネットワークノード，又は端末と，無線局（ＳＴＡ），ＷＬＡＮ内のほかの適切なネットワークノード，又は端末と，を含んでもよい。
【０００６】
要するに本発明は，マルチキャスト及び／又は同報送信用の肯定応答を送信する非ＡＰ  ＳＴＡを指定するためのＰＳＭＰ（電力節減多重ポール）フレームの利用を提供する。送信したＰＳＭＰが，アップリンクＴＸＯＰを規定する。ダウンリンク（ＤＬ）送信とアップリンク（ＵＬ）送信との間には，常にＳＩＦＳ期間がある。現在既知のＰＳＭＰ方式では，ユニキャスト受信者を識別するためにアソシエーションＩＤを用いる。本発明は，ＰＳＭＰフレームによってマルチキャスト及び／又は同報情報を送信するために次の２つの新規な選択肢を提供する。
【０００７】
１．すべての送信種別（ユニキャスト，同報，マルチキャスト）は，ＰＳＭＰフレームの後で行ってもよい。ＰＳＭＰフレームは，マルチキャスト，同報，又はユニキャスト送信を肯定応答する０又は複数の非ＡＰ  ＳＴＡを指定してもよい。若しくは，
【０００８】
２．ＰＳＭＰは，ＤＬにおけるマルチキャスト及び同報送信，及びマルチキャスト及び／又は同報の肯定応答を行うことができるＵＬの０又は複数の送信時刻だけを規定する。
【０００９】
また本発明は，相互に情報を伝送する２つのノード又はポイントを有するＷＬＡＮを含み，この２つのノード又はポイントはマルチキャスト及び同報データをＰＳＭＰ方式で送信し，ＷＬＡＮ内の２つのノード，ポイント，又は端末の間，及び本記載と一致するＷＬＡＮ内の第２のノード，ポイント，又は端末へ情報を伝送する第１のノード，ポイント，又は端末の間，で送信されたデータを肯定応答するように構成されたモジュールを備える。
【００１０】
また本発明は，プログラムコードを有する計算機プログラム製品であって，そのプログラムコードは機械可読媒体上に記憶され，上記計算機プログラムをアクセスポイント（ＡＰ）のような第１のノード，ポイント，又は端末，若しくは無線局（ＳＴＡ）のような第２のノード，ポイント，又は端末，若しくはこれらにいくつかの組合せ，のいずれかのモジュールによって実行したとき，ＰＳＭＰ方式でマルチキャスト及び／又は同報データを送信するステップと，ＷＬＡＮ内の２つのノード，ポイント，又は端末間で送信されたデータを肯定応答するステップと，を含む方法ステップを実行する。また本発明による方法は，上記ＷＬＡＮ内の１又は複数のネットワークノード，ポイント，端末，又は要素内のプロセッサ，コントローラ，又はほかの適切なモジュールによって実行される計算機プログラムによって，上記方法ステップを実現するステップを有する。
【００１１】
本願添付の図面は必ずしも正確な縮尺ではない。以降の説明は，本願発明を示す種々の形式の図面も含む。
【発明を実施するための最良の形態】
【００１２】
図１ａは，例として一般に２と記されたＩＥＥＥ８０２．１１ ＷＬＡＮシステムを示している。このシステムは，パーソナルデジタルアシスタント（ＰＤＡ）３，ラップトップ４，プリンタ５，などを含む移動体デバイス及び２次デバイスのような通信装置間の通信を提供する。ＷＬＡＮシステムは有線ＬＡＮシステムに接続してもよく，後者は無線デバイスがファイルサーバ又はほかの適切なデバイス上の情報及びファイルを利用でき，インターネットに接続できるようにする。これらのデバイスは図示のとおり，基地局のない，いわゆる「アドホック」ネットワークによって直接相互に通信することもできるし，８０２．１１の用語ではアクセスポイント（ＡＰ）と呼ばれる基地局（６と記す）を介して，構内配信サービス（ＤＳ）又は広域拡張サービスを用いて，配信サービスと通信することもできる。ＷＬＡＮシステムにおいては，エンドユーザが接続するデバイスは無線局（ＳＴＡ）として知られており，それは通信デバイス間で配信されるデジタル信号を無線信号に変換する送受信器（送信器・受信器）であり，ほかのデバイス及び／又はネットワークとの間でデータパケットを受信及び配信するアクセスポイント（ＡＰ）に通信装置を接続する。ＳＴＡは，いずれも当業において既知のデバイスに接続された無線ネットワークインタフェースカード（ＮＩＣ）アダプタからデバイスの一部である統合無線モジュール，及び外部アダプタ（ＵＳＢ），ＰＣＭＣＩＡカード又はＵＳＢドングル（自己完結型）に至るまで，種々の形態をとることができる。
【００１３】
本発明は，ＷＬＡＮ内の２つのノード，ポイント，又は端末間で情報を伝送する新規で唯一の方法及び装置を提供する。マルチキャスト及び／又は同報データは，ＰＳＭＰ方式によって送信され，送信されたデータはＷＬＡＮ内の２又は複数のノード，ポイント，又は端末間で肯定応答される。図１ｂは，本発明のいくつかの実施例による基本ステップ７及び８を有するフローチャートである。
【００１４】
ＷＬＡＮ内の２つのノード，ポイント，又は端末は，図１ａと一致するＷＬＡＮにおいて動作する，図２に示すアクセスポイント（ＡＰ），ほかの適切なネットワークノード，又は端末１０と，図３に示すＳＴＡ，ほかの適切なネットワークノード，又は端末２０とを含む。ＡＰ１０及びＳＴＡ２０は，対応するモジュール１２及び２２を備え，それらはＰＳＭＰ方式でマルチキャスト及び／又は同報データを送信し，ＷＬＡＮ内の２つのノード，ポイント，又は端末間で送信されたデータを肯定応答するように構成される。
【００１５】
＜基本実装＞
本発明によるＡＰ１０とＳＴＡ２０との基本実装及び協働は次を含んでもよい。
【００１６】
８０２．１１ｎ，すなわち高スループット強化，は，データ送信用ＰＳＭＰ集約（ａｇｇｒｅｇａｔｉｏｎ）機構を規定している。ＰＳＭＰ送信は，ＤＬ（ノード１からのデータ）送信時刻で始まる。ＤＬ送信時刻の後に，ＤＬフレームの送信器はＵＬ（ノード１へのデータ）送信期間を指定してもよい。本発明では，ＤＬ送信はマルチキャスト及び／又は同報フレームに用い，ＤＬマルチキャスト及び／又は同報と共に指定されているＵＬ送信時刻にマルチキャスト及び／又は同報フレームの肯定応答を送信する。十分な送信時間が得られるときは，ＵＬ送信時間にほかのフレームも含めてよい。ＤＬ送信及びＵＬ送信の開始時刻は，ＵＬ送信とＤＬ送信との間の時間が少なくともＳＩＦＳ期間であるように指定する。
【００１７】
現在のＰＳＭＰ機構は，ＰＳＭＰフレームにおいてユニキャストの受信器を識別するためにアソシエーションＩＤ（ＡＩＤ）を用いる。マルチキャスト及び／又は同報送信は，それ自身のＡＩＤは有していない。マルチキャスト及び／又は同報送信は，来る送信の識別子としてマルチキャストＭＡＣアドレスを用いる。本発明は，ＰＳＭＰフレームによってマルチキャスト及び／又は同報情報を渡すために２つの機構を提供する。
【００１８】
選択肢１においては，ＰＳＭＰ要素の後ですべての送信種別，すなわちユニキャスト，マルチキャスト，及び同報が可能である。１つのＰＳＭＰ要素が，ＤＬマルチキャスト及び／又は同報送信，並びにマルチキャスト及び／又は同報送信を肯定応答する０又は複数の非ＡＰ  ＳＴＡを指定してもよい。ＰＳＭＰ要素は，同一のＤＫマルチキャスト及び／又は同報送信を受信するいくつかの非ＡＰ  ＳＴＡを指定することができる。これらの非ＡＰ  ＳＴＡはそれぞれ，ＵＬ送信時刻が指定されており，ＤＬフレームが肯定応答を必要とするとき，すなわち肯定応答モードが"no acknowledgement"に設定されていないとき，ＤＬフレームにＵＬ肯定応答を送信する。ＰＳＭＰがユニキャスト送信を指定しているときは，端末は送信されたＤＬユニキャストを肯定応答し，指定されたＵＬ送信時刻に自己のユニキャストフレームを送信することができる。本発明は，ユニキャスト送信の処理を変更しない。
【００１９】
選択肢２においては，１つのＰＳＭＰはマルチキャスト及び／又は同報送信及びユニキャスト送信だけを指定する。したがって指定したＵＬ送信時刻に，非ＡＰ  ＳＴＡは送信されたマルチキャスト及び／又は同報フレームを肯定応答する。
【００２０】
選択肢１の方法は，各ＳＴＡ  Ｉｎｆｏ要素が同一の長さであり，マルチキャスト及び／又は同報フレームは２オクテットだけで指定されるので，非ＡＰ  ＳＴＡを不必要に起動（ｗａｋｉｎｇ）することがある。例えば，ＩＰｖ４では最後の２３ビット（ＲＦＣ１１８８）が，ＩＰｖ６では４オクテット（ＲＦＣ２４６４）が，マルチキャストアドレスを指定するために用いられる。
【００２１】
選択肢２の方法はすべてのマルチキャスト及び／又は同報アドレスをより完全に指定しており，それで各マルチキャスト及び／又は同報送信は唯一のアドレスを有する。反対にこの機構は新規なＳＴＡ  Ｉｎｆｏ要素を指定する必要がある。
【００２２】
非ＡＰ  ＳＴＡが１つのＰＳＭＰによって種々のアドレスからのいくつかのマルチキャスト及び／又は同報送信を受信したとき，ＡＰはこれらすべての送信に対して肯定応答を送信するために同一のＵＬ送信時刻を指定してもよい。ＡＰは，すべてのマルチキャスト及び／又は同報アドレスを別個に指定する。すなわち各マルチキャスト及び／又は同報送信及び肯定応答にＳＴＡ  Ｉｎｆｏを設定し，非ＡＰ  ＳＴＡから肯定応答を受信することを期待する。
【００２３】
ＡＰ，すなわちマルチキャスト及び／又は同報アドレスの送信器は，マルチキャストに対する肯定応答の数及び肯定応答の送信器数を制御することができる。マルチキャストフレームに指定されている肯定応答モードは，ＰＳＭＰ  ＵＬ  ＴＸＯＰで使われている肯定応答フレームを指定する。図４にマルチキャスト送信データフローを示す。ＡＰは肯定応答送信器を自由に選択することができる。ＡＰは，肯定応答を送信するように指定されていないすべての非ＡＰ  ＳＴＡに対するフレーム送信は成功であると想定する。
【００２４】
マルチキャスト及び／又は同報フレーム送信に用いられた肯定応答モードは，ユニキャストフレーム肯定応答モードに類似して規定されている。ＭＡＣヘッダのＱｏＳ制御におけるＡＣＫ  Ｐｏｌｉｃｙフィールドは，使用した肯定応答モードを指定する。
【００２５】
マルチキャストフレームがマルチキャストサービスに属している場合，非ＡＰ  ＳＴＡ及びＡＰ双方が無線資源管理能力（Radio Resource Management Capability）フィールドにマルチキャスト及び／又は同報肯定応答ビットを設定しているときは，肯定応答が用いられる。
【００２６】
非ＡＰ  ＳＴＡは，送信されたマルチキャスト及び／又は同報フレームを肯定応答することに失敗するかもしれない。ストリームの再送信が必要な場合，送信器は，マルチキャスト及び／又は同報のいくつかの肯定応答及び配信品質制御論理を選択することができる。
【００２７】
１）送信器が，肯定応答を送信するように各受信器を設定する。
【００２８】
２）送信器が肯定応答を送信するために最も多くの再送信を必要とする受信器を
を選択することができる。肯定応答の送信器数は自由に選択できる。
【００２９】
３）送信器は，肯定応答なしでマルチキャスト及び／又は同報フレームを冗長に送信し，エラーメッセージ又は起動されたマルチキャスト測定メッセージの量すなわち数によって送信回数を制御することができる。
【００３０】
４）送信器は，肯定応答を送信した端末グループを変更することができる。この操作によって送信器は，サービス範囲内の受信器を制御することができる。
【００３１】
５）送信器は，受信した肯定応答によって肯定応答要求間隔を変更することができる。
【００３２】
６）送信器は，応答によって送信速度を変更できる。
【００３３】
７）送信器は，送信試行がdot11ShortRetryLimit又はdot11LongRetryLimitを超えるか，若しくはＭＳＤＵ寿命が尽きるまで，フレームをマルチキャスト又は同報送信として再送信できる。
【００３４】
８）送信器は，上記のマルチキャスト又は同報フレームをユニキャスト送信として再送信できる。
【００３５】
９）送信器は，肯定応答及び測定結果によってメディア形式を変更又は変更要求できる。
【００３６】
１０）送信器は，送信を受信できない端末グループへのＡＣＫ要求を停止できる。例えば送信器が所定の最小送信速度を有し，受信器が送信を正しく受信できないとき，送信器は上記端末グループへのＡＣＫ要求を停止できる。
【００３７】
１１）送信器は，上記マルチキャスト送信を停止できる。これは例えば配信品質が不適当なとき生じる。
【００３８】
上記の各シナリオは例として提供されているものに過ぎず，本発明の範囲は上記と同一のものだけに限定されるものではない。
【００３９】
マルチキャスト及び同報再送信は，すべてのマルチキャスト又は同報送信受信器が受信することができる。したがって，送信を正しく受信しなかった受信器からの肯定応答によって，すべての受信器が要望する耐性を持たせるために十分な再送信を行うことができる。
【００４０】
マルチキャスト及び／又は同報送信が正しく受信されたとき，送信器が最低送信速度だけでなくより高い送信速度を用いることができることを実施例は想定する。送信時間消費の削減は顕著である。ＡＰは，ＰＳＭＰフレームに肯定応答を送信することが指定されていない非ＡＰ  ＳＴＡへのマルチキャスト及び／又は同報フレーム配信は，成功であったものと考える。
【００４１】
マルチキャスト及び／又は同報肯定応答は，速度適応論理の利用，すなわちリンク条件に適した送信速度の利用を可能にする。肯定応答は，データフレームが正しく受信されたことを記述するフィードバックとして用いることができる。より高い送信速度を利用することによって，データ送信効率を改善することができる。送信速度は，リンク条件がより悪い端末に合わせて設定してもよい。
【００４２】
マルチキャスト及び／又は同報肯定応答機構の論理は，ＩＥＥＥ８０２．１１の１又は複数の章に記載されており，現在既知のＰＳＭＰフレームに変更を伴う。以降これについて説明する。
【００４３】
＜８０２．１１ｎマルチキャストＡＣＫモード＞
８０２．１１ｎによって高信頼マルチキャスト送信に対応するフレームシーケンスを生成することができる。この方法によれば，ＡＰはＵＬ肯定応答を予定し，実際のＤＬマルチキャストフレーム送信の前に，ＰＳＭＰフレームによってスケジュールを送信する。ＰＳＭＰフレームは，ＤＬ送信の開始時刻及びＵＬ送信の０又は複数の開示時刻を規定する。ＤＬ  ＴＸＯＰによって送信されるデータのアドレスは，マルチキャストアドレスに対応し，ＵＬ  ＴＸＯＰによって指定された端末は，送信されたマルチキャストフレームに対して肯定応答又はブロック肯定応答を送信する。またＰＳＭＰフレーム内のＳＴＡ  Ｉｎｆｏフィールドは，送信種別がマルチキャストかユニキャストかを示すビットも含む。
【００４４】
マルチキャストフレームがマルチキャストサービスに属している場合，非ＡＰ  ＳＴＡ及びＡＰ双方が無線資源管理能力フィールドにマルチキャスト肯定応答ビットを設定しているときは，肯定応答を用いてもよい。非ＡＰ  ＳＴＡ及びＡＰ双方が無線資源管理能力フィールドにマルチキャスト肯定応答ビットを設定しているときは，同報肯定応答を用いてもよい。
【００４５】
非ＡＰ  ＳＴＡが送信されたマルチキャストフレームを肯定応答することに失敗したとき，ＡＰは，送信試行がdot11ShortRetryLimit又はdot11LongRetryLimitを超えるか，若しくはＭＳＤＵ寿命が尽きるまで，フレームをマルチキャスト送信として再送信する。非ＡＰ  ＳＴＡが送信された同報フレームを肯定応答することに失敗したとき，ＡＰは，送信試行がdot11ShortRetryLimit又はdot11LongRetryLimitを超えるか，若しくはＭＳＤＵ寿命が尽きるまで，フレームを同報送信として再送信する。本発明の別の実施例においては，ＡＰは再送信にユニキャスト送信モードを用いることができる。ＡＰは，ＡＰが正しく肯定応答を受信しなかった非ＡＰ  ＳＴＡだけに再送信時の肯定応答を必要とする。ＡＰは，ＰＳＭＰによって肯定応答を送信することが指定されていない非ＡＰ  ＳＴＡへのマルチキャストフレーム配信は成功であったものと考える。
【００４６】
ＡＰは，マルチキャスト送信においてすべての受信器に肯定応答を要求しなくてもよい。
【００４７】
以降の記載は，現在のＩＥＥＥ提案において規定されたＰＳＭＰ集約，すなわちマルチキャスト集約用のＰＳＭＰ集約選択肢１，及びマルチキャスト集約用のＰＳＭＰ集約選択肢２，の詳細な説明である。
【００４８】
＜マルチキャスト集約用のＰＳＭＰ集約選択肢１＞
ＰＳＭＰフレームの期間・ＩＤフィールドは，少なくとも現在のＰＳＭＰフレームが記述しているＤＬＴ  ＴＸＯＰ及びＵＬＴ  ＴＸＯＰのすべての合計期間を示す。各ＳＴＡは，ＰＳＭＰフレームを受信するとそれによってそれぞれのＮＡＶを更新する。ＰＳＭＰフレーム形式はＡＰが対応しているものとする。ＰＳＭＰフレーム形式は，同一のＰＰＤＵ又はＨＴＰバーストいずれかの複数受信器集約と共に用いられる。ＰＳＭＰ交換において送信されるすべてのデータ又は管理種別フレームにおいて，期間・ＩＤフィールドはＰＳＭＰ交換の残り期間に設定される。
【００４９】
制御フレーム（種別＝0b01），副種別ＰＳＭＰ（0b0111）のフレーム本体，すなわち電力節減集約記述子（Power Saving Aggregation Descriptor），は表１に示す情報を含む。
【表１】
2009515401.tif 000003
【表２】
2009515401.tif 000004
【００５０】
ＰＳＭＰパラメータ集合は，ＰＳＭＰフレームの直後に続くＤＬＴ及びＵＬＴを記述するために用いられる。
【表３】
2009515401.tif 000005
【００５１】
記述子端（Descriptor End）フィールドは，このＰＳＭＰフレームが記述する現在のＰＳＭＰ交換の期間を示す。記述子端フィールドの値は，８μｓ単位の整数値である。したがってこのフィールドは期間４ｍｓまでのＰＳＭＰ交換を記述することができる。”ｍ”は，ＰＳＭＰ記述子に含まれるＳＴＡ数を表す。
【表４】
2009515401.tif 000006
【００５２】
ＳＴＡ  Ｉｎｆｏがマルチキャスト又は同報送信情報を含むとき，マルチキャスト／同報ビットは１に設定される。このビットが設定されているとき，ＳＴＡ  ＩＤフィールドはマルチキャストＭＡＣアドレスの最後の２オクテットを含む。またこのビットは，ＳＴＡ  ＩＤと，ＤＬＴ開始時刻と，ＤＬＴ期間と，に設定されているものと同一の値を，ＴＸＯＰ内のいくつかの非ＡＰ  ＳＴＡに与えることができることを規定する。
【００５３】
ＳＴＡ  ＩＤフィールドは，インフラストラクチャモードにおけるＡＩＤ値，及びマルチキャスト／同報ビットが設定されているとき，すなわちアドホックモードにおけるマルチキャスト又は同報送信におけるＭＡＣアドレスの最後の２バイトを示す。
【００５４】
ＤＬＴ開始オフセットフィールドは，ＳＴＡのＤＬデータを有するＰＰＤＵの開始点を示す。オフセットは，ＰＳＭＰフレームの終了点に対して指定される。オフセットは，２μｓ単位の整数で与えられる。ＳＴＡに対して予定されるＤＬＴはないが，そのＳＴＡに対して予定されるＵＬＴがあるとき，ＤＬＴ期間はヌル（０）に設定される。
【００５５】
ＤＬＴ期間フィールドは，そのＳＴＡに向けられた最初のＭＰＤＵを有するＰＳＤＵの開始点に対して，ＳＴＡのＤＬデータの終了点を示す。このフィールドは，４μｓの倍数で与えられる。ＳＴＡに対して予定されるＵＬＴはないが，そのＳＴＡに対して予定されるＤＬＴがあるとき，ＵＬＴ期間はヌル（０）に設定される。
【００５６】
ＵＬＴ開始オフセットフィールドは，ＵＬＴの開始点を示す。最初のＵＬＴは，ＰＳＭＰに記述された最後のＤＬＴの終了点からＳＩＦＳ期間の経過後に始まるように予定される。ＳＴＡに対して予定されるＵＬＴはないが，そのＳＴＡに対して予定されるＤＬＴがあるとき，ＵＬＴ開始オフセットはヌル（０）に設定される。ＳＴＡは，ＵＬＴオフセット開始点において要求されたＣＣＡを実行しないで送信を開始する。
【００５７】
ＵＬＴ期間フィールドは，ＳＴＡに対するＵＬＴの最大長を示す。ＳＴＡが，ＵＬＴの割当て時間より多いデータ待ち行列を有するとき，ＳＴＡは割り当てられた期間の終了点で媒体を解放する。ＵＬＴ期間は，４μｓ単位の整数で与えられる。ＳＴＡに対して予定されるＵＬＴはないが，そのＳＴＡに対して予定されるＤＬＴがあるとき，ＵＬＴ期間はヌル（０）に設定される。ＳＴＡは，ＰＳＭＰフレームによって割り当てられた時間より長く媒体を使用することはできない。
【００５８】
受信ＳＴＡがＰＳＭＰを正しく受信しなかったときでも，ＳＴＡは各ＰＰＤＵを検査することによってデータを復号することができ，ＳＴＡが意図したあて先であるフレームを見付けることができるが，ＵＬＴフレーム送信を試行してはならない。
【００５９】
ＡＰは，すべてのアップリンクの前にすべてのダウンリンクを予定する。ＰＳＭＰフレーム自身を搬送するバーストを除く，ＰＳＭＰ交換におけるすべてのバーストは，短プリアンブルを用いる。
【００６０】
＜マルチキャスト集約用のＰＳＭＰ集約選択肢２＞
ＰＳＭＰフレームの期間・ＩＤフィールドは，少なくとも現在のＰＳＭＰフレームが記述しているＤＬＴ  ＴＸＯＰ及びＵＬＴ  ＴＸＯＰのすべての合計期間を示す。各ＳＴＡは，ＰＳＭＰフレームを受信するとそれによってそれぞれのＮＡＶを更新する。ＰＳＭＰフレーム形式はＡＰが対応しているものとする。ＰＳＭＰフレーム形式は，同一のＰＰＤＵ又はＨＴＰバーストいずれかの複数受信器集約と共に用いられる。ＰＳＭＰ交換において送信されるすべてのデータ又は管理種別フレームにおいて，期間・ＩＤフィールドはＰＳＭＰ交換の残り期間に設定される。
【００６１】
制御フレーム（種別＝0b01），副種別ＰＳＭＰ（0b0111）のフレーム本体，すなわち電力節減集約記述子，は表５に示す情報を含む。
【表５】
2009515401.tif 000007
【表６】
2009515401.tif 000008
【００６２】
ＰＳＭＰパラメータ集合は，ＰＳＭＰフレームの直後に続くＤＬＴ及びＵＬＴを記述するために用いられる。
【表７】
2009515401.tif 000009
【００６３】
ＳＴＡ  Ｉｎｆｏがマルチキャスト／同報ＳＴＡ  Ｉｎｆｏ要素を含むとき，マルチキャスト／同報ビットは１に設定される。ＳＴＡ  ＩｎｆｏがユニキャストＳＴＡ  Ｉｎｆｏ要素を含むとき，マルチキャスト／同報ビットは０に設定される。ＰＳＭＰ要素内のすべてのＳＴＡ  Ｉｎｆｏ要素は，このビットで指定される形式を有するものとする。
【００６４】
記述子端フィールドは，このＰＳＭＰフレームが記述する現在のＰＳＭＰ交換の期間を示す。記述子端フィールドの値は，８μｓ単位の整数値である。したがってこのフィールドは期間４ｍｓまでのＰＳＭＰ交換を記述することができる。”ｍ”は，ＰＳＭＰ記述子に含まれるＳＴＡ数を表す。
【表８】
2009515401.tif 000010
【表９】
2009515401.tif 000011
【００６５】
ＭＡＣアドレスは，送信されたマルチキャスト又は同報アドレスのＭＡＣアドレスを示す。
【００６６】
ＳＴＡ  ＩＤフィールドは，インフラストラクチャモードにおけるＡＩＤ値，及びアドホックモードにおけるマルチキャスト又は同報送信におけるＭＡＣアドレスの最後の２バイトを示す。
【００６７】
ＤＬＴ開始オフセットフィールドは，ＳＴＡのＤＬデータを有するＰＰＤＵの開始点を示す。オフセットは，ＰＳＭＰフレームの終了点に対して指定される。オフセットは，２μｓ単位の整数で与えられる。ＳＴＡに対して予定されるＤＬＴはないが，そのＳＴＡに対して予定されるＵＬＴがあるとき，ＤＬＴ期間はヌル（０）に設定される。
【００６８】
ＤＬＴ期間フィールドは，そのＳＴＡに向けられた最初のＭＰＤＵを有するＰＳＤＵの開始点に対して，ＳＴＡのＤＬデータの終了点を示す。このフィールドは，４μｓの倍数で与えられる。ＳＴＡに対して予定されるＵＬＴはないが，そのＳＴＡに対して予定されるＤＬＴがあるとき，ＵＬＴ期間はヌル（０）に設定される。
【００６９】
ＵＬＴ開始オフセットフィールドは，ＵＬＴの開始点を示す。最初のＵＬＴは，ＰＳＭＰに記述された最後のＤＬＴの終了点からＳＩＦＳ期間の経過後に始まるように予定される。ＳＴＡに対して予定されるＵＬＴはないが，そのＳＴＡに対して予定されるＤＬＴがあるとき，ＵＬＴ開始オフセットはヌル（０）に設定される。ＳＴＡは，ＵＬＴオフセット開始点において要求されたＣＣＡを実行しないで送信を開始する。
【００７０】
ＵＬＴ期間フィールドは，ＳＴＡに対するＵＬＴの最大長を示す。ＳＴＡが，ＵＬＴの割当て時間より多いデータ待ち行列を有するとき，ＳＴＡは割り当てられた期間の終了点で媒体を解放する。ＵＬＴ期間は，４μｓ単位の整数で与えられる。ＳＴＡに対して予定されるＵＬＴはないが，そのＳＴＡに対して予定されるＤＬＴがあるとき，ＵＬＴ期間はヌル（０）に設定される。ＳＴＡは，ＰＳＭＰフレームによって割り当てられた時間より長く媒体を使用することはできない。
【００７１】
受信ＳＴＡがＰＳＭＰを正しく受信しなかったときでも，ＳＴＡは各ＰＰＤＵを検査することによってデータを復号することができ，ＳＴＡが意図したあて先であるフレームを見付けることができるが，ＵＬＴフレーム送信を試行してはならない。
【００７２】
ＡＰは，すべてのアップリンクの前にすべてのダウンリンクを予定する。ＰＳＭＰフレーム自身を搬送するバーストを除く，ＰＳＭＰ交換におけるすべてのバーストは，短プリアンブルを用いる。
【００７３】
＜モジュール機能の実現＞
上述のＡＰ１０及びＳＴＡ２０の機能は，図２及び３に示す対応するモジュール１２及び２２によって実現することができる。例として，そしてここに記載のとおり，モジュール１２及び２２の機能は，ハードウェア，ソフトウェア，ファームウェア，又はそれらの組合せを用いて実現することができる。しかし本発明の範囲は，これら特定の実施例によって限定されるものではない。通常のソフトウェア実装においては，モジュール１２及び２２は，マイクロプロセッサと，ランダムアクセスメモリ（ＲＡＭ）と，読み出し専用メモリ（ＲＯＭ）と，入出力デバイスと，これらを接続する制御，データ及びアドレスバスと，を有する１又は複数のマイクロプロセッサ主体のアーキテクチャである。当業者であれば，過度の実験なしに，このようなマイクロプロセッサ主体の実装にここで説明した機能を実行させるようにプログラムすることができるであろう。本発明の範囲は，現在既知の技術又は将来開発されるであろう技術を用いた特定の実装に限定することを意図していない。更に本発明の範囲は，モジュール１２及び２２が図示のとおり独立モジュールであること，又は別のモジュールを実現する別の回路と組み合わせること，を含むように意図している。
【００７４】
別のモジュール１４及び２４，並びにその機能は当業において既知であり，それ自身基礎となる発明をなすものではないので，ここでは詳細に説明しない。例えば別のモジュール２４は，当業において既知でありここでは詳細に説明しないＵＭＴＳ加入者識別情報モジュール（ＵＳＩＭ）及び移動体装置（ＭＥ）モジュールのような通常の携帯電話機又は端末の一部をなすほかのモジュールを含んでもよい。
【００７５】
本発明は，マルチキャスト及び同報フレーム配信において肯定応答を用いることを可能にし，データ送信に耐性及び信頼性を付与し，どの非ＡＰ  ＳＴＡが肯定応答を送信するか制御できるようにし，また速度適応論理を用いることを可能にするものである。
【００７６】
＜はん用移動体通信システム（ＵＭＴＳ）パケットネットワークアーキテクチャ＞
図５ａ及び５ｂは，はん用移動体通信システム（ＵＭＴＳ）パケットネットワークアーキテクチャを示す。図５ａにおいて，ＵＭＴＳパケットネットワークアーキテクチャは主要な構成要素であるユーザ装置（ＵＥ）と，ＵＭＴＳ地上無線接続ネットワーク（ＵＴＲＡＮ）と，コアネットワーク（ＣＮ）と，を含む。ＵＥは無線インタフェース（Ｕｕ）を介してＵＴＲＡＮと接続し，一方ＵＴＲＡＮは（有線の）Ｉｕインタフェースを介してＣＮと接続している。図５ｂはいくつかの更なるアーキテクチャ詳細を示しており，特にＵＴＲＡＮは複数の無線ネットワークサブシステム（ＲＮＳ）を含み，各ＲＮＳはそれぞれ少なくとも１つの無線ネットワーク制御装置（ＲＮＣ）を含む。各ＲＮＣは，ＧＳＭ基地局に対応するＵＭＴＳの要素である複数のノードＢに接続することができる。各ノードＢは，図５ａに示す無線インタフェース（Ｕｕ）を介して複数のＵＥと無線接続することができる。１又は複数のノードＢが別のＲＮＣに接続していても，特定のＵＥは複数のノードＢと無線接続することができる。例えば図５ｂのＵＥ１は，ＲＮＳ１のノードＢ２及びＲＮＳ２のノードＢ３と無線接続することができ，ここでノードＢ２及びノードＢ３は隣接ノードＢである。別のＲＮＳのＲＮＣは，Ｉｕｒインタフェースによって接続される。Ｉｕｒインタフェースは，移動するＵＥが１つのＲＮＣのノードＢに属するセルから別のＲＮＣのノードＢに属するセルに移動するとき，双方のＲＮＣと接続を保つことを可能にする。図１ａにおけるＩＥＥＥ８０２．１１ＷＬＡＮシステムと，図５ａ及び５ｂにおける（ＵＭＴＳ）パケットネットワークアーキテクチャとを融合させることによって，ＳＴＡが携帯電話機又は移動体端末のようなＵＥの形態をなすことになる。図１ａに示すＷＬＡＮ（ＩＥＥＥ８０２．１１）と図５ａ及び５ｂに示すような別の技術（例えば３ＧＰＰ，３ＧＰＰ２又は８０２．１６）との協働は，現在３ＧＰＰ及び３ＧＰＰ２のプロトコル仕様書に規定されつつある。本発明の範囲は，このようなＵＭＴＳパケットネットワークアーキテクチャに関連する同一の実装を含むように意図している。
【００７７】
略号一覧
ＡＣ            接続種別
Ａ−ＭＳＤＵ    集約ＭＳＤＵ
ＡＰ            アクセスポイント（接続点）
ＭＡＣ          媒体接続制御
ＭＳＤＵ        ＭＡＣサービスデータユニット
ＰＳＭＰ        電力節減多重ポール
ＱＡＰ          ＱｏＳアクセスポイント
ＱｏＳ          サービス品質
ＱＳＴＡ        ＱｏＳ無線局
ＲＴＰ          実時間プロトコル
ＳＴＡ          無線局
【００７８】
＜本発明の範囲＞
したがって本発明は，構成物と，要素の組合せと，ここで述べた構成物において例示された部品の配置と，の特徴を含む。
【００７９】
したがって上述の目的と，上述の説明から明らかになるものとが効率的に達成されることが分かり，そして本発明の範囲から逸脱することなく上述の構成物において一定の変更が可能であるので，上述の説明に含まれ，又は添付の図面に示されたすべての事項は例示的であり，限定的な意味ではないことを意図している。
【図面の簡単な説明】
【００８０】
【図１ａ】本発明のいくつかの実施例によるＩＥＥＥ８０２．１１ＷＬＡＮシステムを示す図である。
【図１ｂ】本発明のいくつかの実施例による方法の基本ステップを有するフローチャートである。
【図２】本発明のいくつかの実施例によるアクセスポイント（ＡＰ）を示す図である。
【図３】本発明のいくつかの実施例による無線局（ＳＴＡ）を示す図である。
【図４】マルチキャスト送信フローを示す図である。
【図５ａ】本発明のいくつかの実施例によるはん用移動体通信システム（ＵＭＴＳ）パケットネットワークアーキテクチャを示す図である。
【図５ｂ】本発明のいくつかの実施例によるはん用移動体通信システム（ＵＭＴＳ）パケットネットワークアーキテクチャを示す図である。
【図１ａ】
2009515401.tif 000012
【図１ｂ】
2009515401.tif 000013
【図２】
2009515401.tif 000014
【図３】
2009515401.tif 000015
【図４】
2009515401.tif 000016
【図５ａ】
2009515401.tif 000017
【図５ｂ】
2009515401.tif 000018
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
無線構内ネットワーク内の２つのノード，ポイント，又は端末間で情報を伝送するステップと，
マルチキャスト及び／又は同報データを送信し，前記無線構内ネットワーク内の前記２つのノード，ポイント，又は端末間で送信されたデータを肯定応答するステップと，
を有する方法。
【請求項２】
前記２つのノード，ポイント，又は端末は，アクセスポイント，ほかの適切なネットワークノード，又は端末と，無線局，前記無線構内ネットワーク内のほかの適切なネットワークノード，又は端末と，を含む請求項１に記載の方法。
【請求項３】
マルチキャスト及び／又は同報肯定応答を可能にするために，電力節減多重ポール方式を用いる請求項１に記載の方法。
【請求項４】
データ送信用の電力節減多重ポール方式において，マルチキャストフレームにダウンリンク送信期間を用い，マルチキャスト及び／又は同報肯定応答の送信時刻を与えるためにアップリンク送信期間を用いる請求項１に記載の方法。
【請求項５】
データ送信用の電力節減多重ポール方式において，マルチキャストフレームにダウンリンク送信期間を用い，マルチキャスト肯定応答及びアップリンクユニキャスト送信の送信時刻を与えるためにアップリンク送信期間を用いる請求項１に記載の方法。
【請求項６】
前記マルチキャスト及び／又は同報送信は，来る送信の識別子としてマルチキャスト媒体接続制御アドレスを用いる請求項１に記載の方法。
【請求項７】
１つの電力節減多重ポール要素が，ダウンリンクマルチキャスト及び／又は同報送信，並びに前記マルチキャスト及び／又は同報送信を肯定応答する０又は複数の非アクセスポイント無線局を指定する請求項１に記載の方法。
【請求項８】
電力節減多重ポール要素は，同一のダウンリンクマルチキャスト及び／又は同報送信を受信するいくつかの非アクセスポイント無線局を指定する請求項５に記載の方法。
【請求項９】
１つの電力節減多重ポールが，マルチキャスト及び／又は同報送信，並びにユニキャスト送信だけを指定する請求項１に記載の方法。
【請求項１０】
非アクセスポイント無線局は，前記の指定したアップリンク送信時刻に前記の送信されたマルチキャスト及び／又は同報フレームを肯定応答する請求項７に記載の方法。
【請求項１１】
無線構内ネットワークであって，相互に情報を伝送する２つのノード又はポイントを備え，
前記２つのノード又はポイントは電力節減多重ポール方式でマルチキャスト及び／又は同報データを送信し，前記無線構内ネットワーク内の前記２つのノード，ポイント，又は端末の間で前記の送信されたデータを肯定応答するように構成したモジュールを有する無線構内ネットワーク。
【請求項１２】
前記２つのノード，ポイント，又は端末は，アクセスポイント，ほかの適切なネットワークノード，又は端末と，無線局，前記無線構内ネットワーク内のほかの適切なネットワークノード，又は端末と，を含む請求項１１に記載の無線構内ネットワーク。
【請求項１３】
データ送信用の前記電力節減多重ポール方式において，マルチキャスト及び／又は同報フレームにダウンリンク送信期間を用い，マルチキャスト及び／又は肯定応答の送信時刻を与えるためにアップリンク送信期間を用いる請求項１１に記載の無線構内ネットワーク。
【請求項１４】
前記マルチキャスト送信は，来る送信の識別子としてマルチキャスト媒体接続制御アドレスを用いる請求項１１に記載の無線構内ネットワーク。
【請求項１５】
１つの電力節減多重ポール要素が，ダウンリンクマルチキャスト及び／又は同報送信，並びに前記マルチキャスト及び／又は同報送信を肯定応答する１つの非アクセスポイント無線局を指定する請求項１１に記載の無線構内ネットワーク。
【請求項１６】
電力節減多重ポール要素は，同一のダウンリンクマルチキャスト及び／又は同報送信を受信するいくつかの非アクセスポイント無線局を指定する請求項１３に記載の無線構内ネットワーク。
【請求項１７】
１つの電力節減多重ポールが，マルチキャスト及び／又は同報送信，並びにユニキャスト送信だけを指定する請求項１１に記載の無線構内ネットワーク。
【請求項１８】
前記の指定したアップリンク送信時刻に，非アクセスポイント無線局は前記の送信されたマルチキャスト及び／又は同報フレームを肯定応答する請求項１５に記載の無線構内ネットワーク。
【請求項１９】
第１のノード，ポイント，又は端末であって，
無線構内ネットワーク内の第２のノード，ポイント，又は端末へ情報を伝送する１又は複数のモジュールと，
電力節減多重ポール方式でマルチキャスト及び／又は同報データを送信し，前記無線構内ネットワーク内の前記２つのノード，ポイント，又は端末間で送信されたデータを肯定応答するように構成したモジュールと，
を備える第１のノード，ポイント，又は端末。
【請求項２０】
前記２つのノード，ポイント，又は端末は，アクセスポイント，ほかの適切なネットワークノード，又は端末と，無線局，前記無線構内ネットワーク内のほかの適切なネットワークノード，又は端末と，を含む請求項１９に記載の第１のノード，ポイント，又は端末。
【請求項２１】
データ送信用の電力節減多重ポール方式において，マルチキャストフレームにダウンリンク送信期間を用い，マルチキャスト及び／又は同報肯定応答の送信時刻を与えるためにアップリンク送信期間を用いる請求項１９に記載の第１のノード，ポイント，又は端末。
【請求項２２】
前記マルチキャスト及び／又は同報送信は，来る送信の識別子としてマルチキャスト媒体接続制御アドレスを用いる請求項１９に記載の第１のノード，ポイント，又は端末。
【請求項２３】
１つの電力節減多重ポール要素が，ダウンリンクマルチキャスト及び／又は同報送信，並びに前記マルチキャスト及び／又は同報送信を肯定応答する１つの非アクセスポイント無線局を指定する請求項１９に記載の第１のノード，ポイント，又は端末。
【請求項２４】
電力節減多重ポール要素は，同一のダウンリンクマルチキャスト及び／又は同報送信を受信するいくつかの非アクセスポイント無線局を指定する請求項２１に記載の第１のノード，ポイント，又は端末。
【請求項２５】
１つの電力節減多重ポールが，マルチキャスト及び／又は同報送信，並びにユニキャスト送信だけを指定する請求項１９に記載の第１のノード，ポイント，又は端末。
【請求項２６】
非アクセスポイント無線局は，前記の指定したアップリンク送信時刻に前記の送信されたマルチキャスト及び／又は同報フレームを肯定応答する請求項２３に記載の第１のノード，ポイント，又は端末。
【請求項２７】
第１のノード，ポイント，又は端末であって，
ストリームの再送信が必要なとき，前記第１のノード，ポイント，又は端末の送信器が前記マルチキャスト及び／又は同報用に，次に掲げるいくつかの肯定応答及び配信品質制御論理
１）前記送信器が，肯定応答を送信するように各受信器を設定する，
２）前記送信器が肯定応答を送信するために最も多くの再送信を必要とする受信器を
を選択し，前記肯定応答の送信器数は自由に選択できる，
３）前記送信器は，肯定応答なしでマルチキャスト及び／又は同報フレームを冗長に送信し，エラーメッセージ又は起動されたマルチキャスト測定メッセージの量，すなわち数によって送信回数を制御することができる，
４）前記送信器は，肯定応答を送信した端末グループを変更して，この操作によって前記送信器がサービス範囲内の受信器を制御することができる，
５）前記送信器は，受信した肯定応答によって肯定応答要求間隔を変更することができる，
６）前記送信器は，応答によって送信速度を変更できる，
７）前記送信器は，送信試行がdot11ShortRetryLimit又はdot11LongRetryLimitを超えるか，若しくは媒体接続制御サービスデータユニット寿命が尽きるまで，フレームをマルチキャスト又は同報送信として再送信できる，
８）前記送信器は，前記のマルチキャスト又は同報フレームをユニキャスト送信として再送信できる，
９）前記送信器は，肯定応答及び測定結果によってメディア形式を変更又は変更要求できる，
１０）前記送信器は，前記送信を受信できない端末グループへの肯定応答要求を停止でき，例えば前記送信器が所定の最小送信速度を有し，前記受信器が送信を正しく受信できないとき，前記送信器は前記端末グループへの肯定応答要求を停止できる，
１１）例えば配信品質が不適当なとき，前記送信器は前記マルチキャスト送信を停止できる，又は
１２）前記各号のいくつかの組合せ，
を選択できる請求項１９に記載の第１のノード，ポイント，又は端末。
【請求項２８】
プログラムコードを有する計算機プログラム製品であって，該プログラムコードは機械可読媒体上に記憶され，前記計算機プログラムをアクセスポイントのような第１のノード，ポイント，又は端末，若しくは無線局のような第２のノード，ポイント，又は端末，若しくはこれらのいくつかの組合せ，のいずれかのモジュールによって実行したとき，電力節減多重ポール方式でマルチキャスト及び／又は同報データを送信するステップと，無線構内ネットワーク内の２つのノード，ポイント，又は端末間で送信されたデータを肯定応答するステップと，を含む方法を実行する計算機プログラム製品。
【請求項２９】
前記無線構内ネットワーク内の１又は複数のネットワークノード，ポイント，端末，又は要素内のプロセッサ，コントローラ，又はほかの適切なモジュールによって実行される計算機プログラムによって，前記方法ステップを実現するステップを更に有する請求項１に記載の方法。
【請求項３０】
無線構内ネットワーク内の２つのノード，ポイント，又は端末間で情報を伝送する手段と，
マルチキャスト及び／又は同報データを送信し，前記無線構内ネットワーク内の前記２つのノード，ポイント，又は端末間で送信されたデータを肯定応答する手段と，
を備える装置。
【請求項３１】
前記２つのノード，ポイント，又は端末は，アクセスポイント，ほかの適切なネットワークノード，又は端末と，無線局，前記無線構内ネットワーク内のほかの適切なネットワークノード，又は端末と，を含む請求項３０に記載の装置。
【請求項３２】
マルチキャスト及び／又は同報肯定応答を可能にするために，電力節減多重ポール方式を用いる請求項３０に記載の装置。
【請求項３３】
データ送信用の電力節減多重ポール方式において，マルチキャストフレームにダウンリンク送信期間を用い，マルチキャスト及び／又は同報肯定応答の送信時刻を与えるためにアップリンク送信期間を用いる請求項３０に記載の装置。
【請求項３４】
無線構内ネットワーク内の第１のノード，ポイント，又は端末から，無線構内ネットワーク内の第２のノード，ポイント，又は端末へ情報を伝送し，
マルチキャスト及び／又は同報データを送信し，前記無線構内ネットワーク内の前記２つのノード，ポイント，又は端末間で送信されたデータを肯定応答するように構成した１又は複数のモジュールを備える装置。
【請求項３５】
前記１又は複数のモジュールは，前記無線構内ネットワーク内のアクセスポイントの部分をなすか，前記無線構内ネットワーク内の無線局の部分をなすか，若しくは前記無線構内ネットワーク内のある別のネットワークノード，ポイント，又は端末，あるいはそれらのある組合せの部分をなす請求項３４に記載の装置。
【国際調査報告】
2009515401.tif 000019
2009515401.tif 000020
2009515401.tif 000021
2009515401.tif 000022